【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
上方部と下方部とからなるソーラーパネル回転体と、このソーラーパネル回転体の上方部が軸回転ジョイント部を介して回転自在に支持される軸塔と、前記軸回転ジョイント部を回転中心として支持された状態で、前記ソーラーパネル回転体の下方部を設置面に対して方位角変位移動自在に方位角変位方向に所定間隔をあけて支持し、前記ソーラーパネル回転体を方位角変位して回転させる移動支援手段と、前記移動支援手段に動力を伝達させて前記ソーラーパネル回転体の回転駆動を推進する移動推進部と、前記移動推進部に指令を出すことによって前記ソーラーパネル回転体を方位角変位方向に移動して太陽追尾する太陽追尾指令部とを備え、
前記ソーラーパネル回転体は集熱器を含む回転体であり、前記集熱器と連通するとともに前記設置面に対して固定的に設けられたタンクと、前記集熱器及び前記タンクを連通する連通パイプ部と、前記連通パイプ部をその回転折れ曲がり部において水平に維持するパイプ水平維持手段と、前記設置面に対し突出させた建築物とをさらに備え、前記タンクは該建築物の上部に載置し、前記タンクは前記集熱器より上方に設け、前記軸塔及び／又は前記軸回転ジョイント部を上下動可変に構成し、これによって前記ソーラーパネル回転体は、その上方部を上下動可変に構成することで前記ソーラーパネル回転体の仰角変更を可能にするとともに、
前記ソーラーパネル回転体は、そのパネル部が仰角変更に伴って前記下方部に設けた前記移動支援手段が方位角変位によって描かれる軌跡の方向に前記移動支援手段の向きを自動的に近づける自動ハンドル手段を備え、
前記軸回転ジョイント部がユニバーサル回転ジョイント部であって、前記前記ジョイント部が前記軸塔に対して水平及び又は垂直移動を可能にし得る軸支持部移動手段と、該軸支持部移動手段によって前記前記ジョイント部が水平及び又は垂直移動した時に、前記ソーラーパネル回転体が移動するのを強制的にストップし、前記設置面に対して前記ソーラーパネル回転体を固定するようにした固定手段とをさらに備え、
自然現象による前記ソーラーパネル回転体への外力受入が予想されるか、又は直接外力受入があったことを検出する検出手段を備え、該検出手段の出力にて、前記軸支持部移動手段を駆動し、前記固定手段にて前記ソーラーパネル回転体を固定するようにしたことをしたことを特徴とする太陽エネルギ受恵体装置。
【請求項２】
上方部と下方部とからなるソーラーパネル回転体と、このソーラーパネル回転体の上方部が軸回転ジョイント部を介して回転自在に支持される軸塔と、前記軸回転ジョイント部を回転中心として支持された状態で、前記ソーラーパネル回転体の下方部を設置面に対して方位角変位移動自在に方位角変位方向に所定間隔をあけて支持し、前記ソーラーパネル回転体を方位角変位して回転させる移動支援手段と、前記移動支援手段に動力を伝達させて前記ソーラーパネル回転体の回転駆動を推進する移動推進部と、前記移動推進部に指令を出すことによって前記ソーラーパネル回転体を方位角変位方向に移動して太陽追尾する太陽追尾指令部とを備え、
前記ソーラーパネル回転体は集熱器を含む回転体であり、該集熱器と連通するタンクと、前記集熱器及び前記タンクを連通する連通パイプ部とをさらに備え、前記タンクはその上面が前記集熱器の最上部より上方に前記設置面に対して固定的に設けられていることを特徴とする太陽エネルギ受恵体装置。
【請求項３】
ソーラーパネルと該パネルを載置する台座フレームとを含むソーラーパネル回転体と、設置面に対し固定的に配設された所定高さを有する軸塔と、前記パネル回転体を回転駆動推進する移動推進部と、前記パネル回転体の移動を支援する移動支援部材と、太陽追尾指令部とを備えた太陽エネルギ受恵体装置であって、
前記パネル回転体は、前記移動支援部材を設けた一方と、回転軸部に対峙する他方と、前記一方と他方との中間に位置する中央部１Ｍとからなり、前記パネル回転体の中央部以外且つ重心以外であって、他方寄りに前記回転軸部を設け、前記一方を、水平方向に所定距離を隔てた複数の前記移動支援部材を介して前記水平設置面に自重力負荷させて設置させ、前記他方を、前記回転軸部を含む軸回転ジョイント部を介して前記軸塔によって前記パネル回転体荷重の一部を自重力負荷させて支持させ、前記移動推進部は、前記一方の両側部の少なくともいずれか一方の側部に対峙して取り付けた前記移動支援部材を駆動するよう前記移動支援部材にリンクして設けられ、前記太陽追尾指令部及び前記移動推進部で前記移動支援部材を駆動したとき、前記パネル回転体が前記ジョイント部を介して前記軸塔に支えられて、前記移動支援部材が前記前記設置面を移動することで、前記パネル回転体が前記ジョイント部軸部を中心として方位角変位回動し太陽追尾するようにしたことを特徴とする。
【請求項４】
上方部と下方部とからなるソーラーパネル回転体と、このソーラーパネル回転体の上方部が軸回転ジョイント部を介して回転自在に支持される軸塔と、前記軸回転ジョイント部を回転中心として支持された状態で、前記ソーラーパネル回転体の下方部を設置面に対して方位角変位移動自在に方位角変位方向に所定間隔をあけて支持し、前記ソーラーパネル回転体を方位角変位して回転させる移動支援手段と、前記移動支援手段に動力を伝達させて前記ソーラーパネル回転体の回転駆動を推進する移動推進部と、前記移動推進部に指令を出すことによって前記ソーラーパネル回転体を方位角変位方向に移動して太陽追尾する太陽追尾指令部とを備えたことを特徴とする太陽エネルギ受恵体装置。
【手続補正２】
【補正対象書類名】明細書
【補正対象項目名】０００８
【補正方法】変更
【補正の内容】
【０００８】
本発明は上記課題を解決するための手段として、特許請求範囲に記載した構成を備えている。
請求項１に記載した太陽エネルギ受恵体装置の発明は、
上方部（１Ｂ）と下方部（１Ａ）とからなるソーラーパネル回転体（１，１００，１１０）と、このソーラーパネル回転体の上方部（１Ｂ）が軸回転ジョイント部を介して回転自在に支持される軸塔（２，２０，６Ｙ）と、前記軸回転ジョイント部を回転中心として支持された状態で、前記ソーラーパネル回転体の下方部（１Ａ）を設置面（９，９１，９２）に対して方位角変位移動自在に方位角変位方向に所定間隔をあけて支持し、前記ソーラーパネル回転体を方位角変位して回転させる移動支援手段（車輪１６、１７）と、前記移動支援手段に動力を伝達させて前記ソーラーパネル回転体の回転駆動を推進する移動推進部（ＭＤＵ、ＭＤＵ２）と、前記移動推進部に指令を出すことによって前記ソーラーパネル回転体を方位角変位方向に移動して太陽追尾する太陽追尾指令部（図２３、図２６）とを備え、
前記ソーラーパネル回転体は集熱器（１０、１０Ｓ）を含む回転体であり、前記集熱器と連通するとともに前記設置面に対して固定的に設けられたタンク（５、５０）と、前記集熱器及び前記タンクを連通する連通パイプ部（４）と、前記連通パイプ部をその回転折れ曲がり部（ＦＰ、３ｄ５、３ｄ５’、図２ｂ）において水平に維持するパイプ水平維持手段（３５Ｃ、図２ｂ）と、前記設置面に対し突出させた建築物（８０）とをさらに備え、前記タンクは該建築物の上部に載置し、前記タンクは前記集熱器より上方に設け、前記軸塔及び／又は前記軸回転ジョイント部を上下動可変に構成し、これによって前記ソーラパネル回転体は、その上方部を上下動可変に構成することで前記ソーラパネル回転体の仰角変更を可能にするとともに、
前記ソーラーパネル回転体は、そのパネル部（１０、１０Ｓ）が仰角変更に伴って前記下方部に設けた前記移動支援手段が方位角変位によって描かれる軌跡（Ｒｔ、ＰＱ２）の方向に前記移動支援手段の向きを自動的に近づける自動ハンドル手段（ＹＢ）を備え、
前記軸回転ジョイント部がユニバーサル回転ジョイント部（図１８ＪＴ）であって、前記前記ジョイント部が前記軸塔に対して水平及び又は垂直移動を可能にし得る軸支持部移動手段（図１５上部、図１９ｂ、図２２；体をかわす手段）と、該軸支持部移動手段によって前記前記ジョイント部が水平及び又は垂直移動した時に、前記ソーラーパネル回転体が移動するのを強制的にストップし、前記設置面に対して前記ソーラーパネル回転体を固定するようにした固定手段（ＳＴ８、ＳＴＰ、９４、９９）とをさらに備え、
自然現象による前記ソーラーパネル回転体への外力受入が予想されるか、又は直接外力受入があったことを検出する検出手段（７９８、図２５Ｃ、ＥＱＩ）を備え、該検出手段の出力にて、前記軸支持部移動手段を駆動し、前記固定手段にて前記ソーラーパネル回転体を固定するようにしたことをしたことを特徴とする。
【手続補正３】
【補正対象書類名】明細書
【補正対象項目名】０００９
【補正方法】変更
【補正の内容】
【０００９】
請求項２に記載した太陽エネルギ受恵体装置の発明は、
上方部（１Ｂ）と下方部（１Ａ）とからなるソーラーパネル回転体（１，１００，１１０）と、このソーラーパネル回転体の上方部（１Ｂ）が軸回転ジョイント部を介して回転自在に支持される軸塔（２，２０，６Ｙ）と、前記軸回転ジョイント部を回転中心として支持された状態で、前記ソーラーパネル回転体の下方部（１Ａ）を設置面（９，９１，９２）に対して方位角変位移動自在に方位角変位方向に所定間隔をあけて支持し、前記ソーラーパネル回転体を方位角変位して回転させる移動支援手段（車輪１６、１７）と、前記移動支援手段に動力を伝達させて前記ソーラーパネル回転体の回転駆動を推進する移動推進部（ＭＤＵ、ＭＤＵ２）と、前記移動推進部に指令を出すことによって前記ソーラーパネル回転体を方位角変位方向に移動して太陽追尾する太陽追尾指令部（図２３、図２６、図２７）とを備え、
前記ソーラーパネル回転体は集熱器（１０、１０Ｓ）を含む回転体であり、該集熱器と連通するタンク（５、５０）と、前記集熱器及び前記タンクを連通する連通パイプ部（４）とをさらに備え、前記タンクはその上面が前記集熱器の最上部より上方に前記設置面に対して固定的に設けられていることを特徴とする。
ここで、上記軸回転ジョイント部は、各実施例に見られるように多種多様の構成を含んでいる。図１８に示したような半球体と半球体凹部とを備えた比較的単純なそれでいて機能的に優れたものから、図１に示した、３２ａ、３２ｂ、３２ｃ、３６、３７、３３、３５、３１、３４、２２、ＢＪ１、ＢＪ２を備えた多機能ジョイント部、図９に示した、３００、３ａｂｃ、３Ｔ、３０ａａ、２０ａ、２４６を備えたジョイント部、図１５に示したＪＴを備えたジョイント部、図１９に示した軸回転ジョイント部等多種多様の構成を含んでいる。
【手続補正４】
【補正対象書類名】明細書
【補正対象項目名】００１０
【補正方法】変更
【補正の内容】
【００１０】
請求項３記載の太陽エネルギ受恵体装置の発明は、
ソーラーパネルと該パネルを載置する台座フレームとを含むソーラーパネル回転体と、設置面に対し固定的に配設された所定高さを有する軸塔と、前記パネル回転体を回転駆動推進する移動推進部（モータドライブユニット）と、前記パネル回転体の移動を支援する移動支援部材（回動車輪）と、太陽追尾指令部（駆動システム）とを備えた太陽エネルギ受恵体装置であって、
前記パネル回転体は、前記移動支援部材（回動車輪）を設けた一方と、回転軸部に対峙する他方と、前記一方と他方との中間に位置する中央部１Ｍとからなり、前記パネル回転体の中央部以外且つ重心以外であって、他方寄りに前記回転軸部を設け、前記一方を、水平方向に所定距離を隔てた複数の前記移動支援部材を介して前記水平設置面に自重力負荷させて設置させ、前記他方を、前記回転軸部を含む軸回転ジョイント部を介して前記軸塔によって前記パネル回転体荷重の一部を自重力負荷させて支持させ、前記移動推進部は、前記一方の両側部の少なくともいずれか一方の側部に対峙して取り付けた前記移動支援部材（回動車輪）を駆動するよう前記移動支援部材にリンクして設けられ、前記太陽追尾指令部（駆動システム）及び前記移動推進部で前記移動支援部材（回動車輪）を駆動したとき、前記パネル回転体が前記ジョイント部を介して前記軸塔に支えられて、前記移動支援部材（回動車輪）が前記前記設置面を移動することで、前記パネル回転体が前記ジョイント部軸部を中心として方位角変位回動し太陽追尾するようにしたことを特徴とする。
【手続補正５】
【補正対象書類名】明細書
【補正対象項目名】００１１
【補正方法】変更
【補正の内容】
【００１１】
請求項４記載の太陽エネルギ受恵体装置の発明は、
上方部（１Ｂ）と下方部（１Ａ）とからなるソーラーパネル回転体（１，１００，１１０）と、このソーラーパネル回転体の上方部（１Ｂ）が軸回転ジョイント部（）を介して回転自在に支持される軸塔（２，２０，６Ｙ）と、前記軸回転ジョイント部を回転中心として支持された状態で、前記ソーラーパネル回転体の下方部（１Ａ）を設置面（９，９１，９２）に対して方位角変位移動自在に方位角変位方向に所定間隔をあけて支持し、前記ソーラーパネル回転体を方位角変位して回転させる移動支援手段（車輪１６、１７）と、前記移動支援手段に動力を伝達させて前記ソーラーパネル回転体の回転駆動を推進する移動推進部（ＭＤＵ、ＭＤＵ２）と、前記移動推進部に指令を出すことによって前記ソーラーパネル回転体を方位角変位方向に移動して太陽追尾する太陽追尾指令部（図２３、図２６、図２７）とを備えたことを特徴とする。
【手続補正６】
【補正対象書類名】明細書
【補正対象項目名】００２６
【補正方法】変更
【補正の内容】
【００２６】
＜請求項１記載発明の効果＞
発明の効果の冒頭に書いた効果または請求項３記載発明の効果と同等の効果がある。その他の効果も含めて簡単に列挙する。装置を太陽追尾回転するに際し、基本的に３点支持装置とし、その一点を回転中心としているので、移動中、停止中に関わらずふらつかずに安定水平回動させることができる。保守点検容易である。小さなパワーで駆動することができる。また、中央回転部に大型ギヤー不要としているので、安価である。導線が安全である。蓄液体槽（タンク）を集熱器の上に固定的に設けることができたので、太陽追尾型の自然循環型太陽熱温液器（温水器）を構築可能となった。集熱器移動支援手段（車輪）の自動ハンドル機能手段によって集熱器を方位角変位かつ仰角変位可能にできた。軸回転ジョイント部（前記一点）即ち回転中心そのものを移動させることで、異常時のソーラーパネル移動を阻止できる。直接的又は間接的異常センシング手段によって異常（非常）事態を検知又は予想し、異常（非常）事態を耐え凌ぐ又は被害を最小限に抑えるようにした。これによって総合的に太陽エネルギ受恵体装置全体の品質、性能が向上する。
【手続補正７】
【補正対象書類名】明細書
【補正対象項目名】００５１
【補正方法】変更
【補正の内容】
【００５１】
また、コレクタパネル１が温水用集熱器である場合（太陽電池パネルであってもよいがその場合は以下のタンク、パイプは不用）には、集熱器の上部にタンク（貯湯槽）５と、前記集熱器とタンク５とに水が循環する連通パイプ部４とを備える（特に図４参照）。タンク５は主として縦方向に伸設された支柱６１、６２ａ、６２ｂ、６３ａ、６３ｂと斜めステ−６１ａ、６１ｂ、６３ｃ、６３ｄ、６４、６５、６８ａ、６８ｂと水平フレーム６１ｃ、６１ｄ、６７ａ、６７ｂ、６７ｃ、６７ｄ、６３ｅ、６３ｆ及び６９とで構成されるタンク架台６の上に載置され、水平接続フレームの１つであるタンク保持部６９の上に図示しないネジで螺着される（特に図１、６、７参照）。タンク保持部６９は長方形の枠体とラダ−部とからなり、例えばＬ型アングル部材で構成される。上から見ると全体として「目」の字型を成す。目の字の水平バー部（ラダ−部）は一本でも多数本でもよい。各フレームにおいて、番号があって図示されないものがあるが、対向して設けられる隠れフレームと解されたい。例えば６８ｂは６８ａとのペアの隠れフレームである。
【手続補正８】
【補正対象書類名】明細書
【補正対象項目名】００５３
【補正方法】変更
【補正の内容】
【００５３】
水平フレーム６７は東西南北フレーム６７ａ、６７ｂ、６７ｃ、６７ｄで構成された方形のタンク架台６のベース部主要部を構成している。四隅の接合部から垂直の前記支柱６２ａ、６２ｂ、６２ｃ、６２ｄが垂設され、その上方にはタンク保持部６９が固着される。上記接合部の下面にはキャスタｃａ２、ｃａ３、ｃａ４、ｃａ５が設けられる。支柱６１の下面部にもキャスタｃａ１が設けられている。隣設する支柱６２ａ〜６３ｂ間には適宜補強用斜めステ−（例えば６２ａー６３ａ間の斜めステ−６８ａ）が設けられる。その反対側にも斜めステ−６８ｂが設けられている。なお、フレーム６３ｅ、６３ｆは支柱６３ａ、６３ｂと斜めステ−６３ｃ、６３ｄのそれぞれの下端部同士を接続した変形防止フレームとして設けられている。
以上のように構成された、タンク架台６は実質的に南側を一点にして北側を４点にてタンク５を支持する構成になっている。また、タンク架台６の支柱６１は軸塔２を垂直に支持する軸塔支持部としてもその役割を担っている。
【手続補正９】
【補正対象書類名】明細書
【補正対象項目名】００７１
【補正方法】変更
【補正の内容】
【００７１】
他方の支持部２１ｂは、前記三角部材から下折曲部２１ｃ１、２１ｃ２にネジ等で螺着保持して前記基礎部２１として一体化構成される。支持部２１ａ、２１ｂは図示しないネジ等で螺着される。そしてＬ型アングルの一方の外壁部２２１の上下全面にラック状ギヤーＳＲを取り付ける。これに対峙させるように上部滑車と下部滑車との中間部（図１、図３参照）に位置した軸塔基礎部２１の部位に軸受け部ＪＲを設け、この軸受部ＪＲに嵌合して取り付けたギヤ−一体型対応軸Ｊ１を軸受部に回転自在に保持させる。ギヤ−Ｇ１はギヤードモータＧＭで駆動され、軸Ｊ１が回転することで、これに連動して回転駆動される。ギヤードモータＧＭは図３に示すように基礎部２１の外壁部に固着される。ギヤードモータＧＭが駆動すると、例えば図１の最上位位置から軸塔本体部２２が計６個の滑車Ｐ１〜Ｐ６にガイドされながら下に移動する。軸塔本体部２２が下に移動すると、前記連結部３は各蝶番部の角度が開くように移動して、パネルの角度が寝るように変移する。それと共に、パイプの角度付部（エルボ部）４４が軸３ｃを回転中心として、図１において時計方向に回転するので、部材３５ｂと連絡口４８とのパイプ実効長を延長しながらパイプの曲げを和らげるように伸びて行き、タンク５と天板３５ａとは離間する（図１の一点鎖線図参照）。軸塔本体部２２が上動する時は、前記下動動作と反対に各部位が動く。
【手続補正１０】
【補正対象書類名】明細書
【補正対象項目名】００８４
【補正方法】変更
【補正の内容】
【００８４】
軸保持部材２４０は、上部２２０への保持のために、多角形リング状取付部材２３０にその脚部２４２〜２４５を介してネジ２３２〜２３５にて螺着され、この枠付十字部材を上部２２０の下端に下から嵌め込み、ネジ２３６、２３７、２３８、２３９にて螺着して軸塔上部２２０が組み立てられる。ここに軸塔２０の組み立て手順を整理して示す。
１）軸塔下部２１０をステ−２６０、２７０によってレール部材ＲＲに垂設して固着。
２）軸塔上部２２０を上記枠付十字部材（２３０＋２４０）不着状態にて軸塔下部２１０の上方から矢視Ｙ９１のように挿入する。この行為はレール部材ＲＲを取り付ける前に行うので寝かせて挿入してもよい。
３）軸塔下部２１０の下方から取付部材２３０を軸塔上部の下端部に挿入し、図９、図１０（ｂ）、図１１のようにその４コーナーをネジ２３６、２３９にて固着。
４）軸保持部材２４０を長孔２２０ｅ〜２２０ｈ及び２１０ｅ、２１０ｆ（４箇所どこからでも可）から軸塔内部に挿入し、図１０（ｂ）の状態にしてネジ２３２、２３３、２３４にて軸塔下部２１０を介して取付部材２３０に螺着。この時長孔２１０ｅ〜２１０ｈ及び長孔２２０ｅ〜２２０ｈの内側端面と放射状脚部２４２〜２４５の対向面とはクリアランスを有した状態で嵌合されることとなる（図１１参照）。
５）軸塔上部２２０と軸塔下部２１０とを結合一体にさせた状態で、軸塔下部２１０をステ−２６０，２７０によってレール部材ＲＲに垂設固着する。
【手続補正１１】
【補正対象書類名】明細書
【補正対象項目名】００９１
【補正方法】変更
【補正の内容】
【００９１】
以上、第１、第２実施例を説明したが、軸回転ジョイント部（回転軸部）のソーラーパネル回転体全体に対する取付位置は、これを前記ソーラーパネル回転体の他方（斜め配置した上方部）の水平方向中央部に設けてもよい。そうすると、全体の移動面積が小さくて済む。また、前記ジョイント部に架かる荷重は、ソーラーパネル回転体全体重に対し、前記ジョイント部に架かる荷重がゼロを超え、３／４以下になるように前記軸塔に支持させるようにしてもよい。そうすると、移動支援部材（車輪）、軸回転ジョイント部（回転軸部）のいずれにも負担がかかることなく、安定性が増し、耐久性も増す。また、後述及び図１８に図示の軸回転ジョイント構造をこの実施例の軸回転ジョイント構造に採用すると、パネルの水平位置移動を阻止する水平移動阻止部（２７ｗ）を前記ジョイント部に有していることになり、これによって災害異常時においても前記ジョイント部の嵌め外れが起こりにくい構造となる。また、前記ジョイント部の軸傾倒（例えば３度）が起こるとそれ以上傾かないストッパ機構を設け、さらにそれ以内（例えば３度以内）だと傾くことができるクリアランス部を設ける（図１８）と、接地面が少しの凹凸でもパネル移動が可能となる。後述の軸崩れ現象の許容範囲を少しだけ広げることもできる構造を採用してもよい。
【手続補正１２】
【補正対象書類名】明細書
【補正対象項目名】００９５
【補正方法】変更
【補正の内容】
【００９５】
上記半球型軸塔基礎部８の下方周囲には前記パネル１１０が回動する時の車輪レール部９０が平面視Ｃ字状に設けられている。レール部９０は縦断面略Ｔ字又はΠ字状をなし、上面の車輪転動面９２(設置面又はベース面でもある）と両側面９３、９４とからなる。軸塔基礎部８の下方周囲部（フレーム８２）とレール部９０との部分円周状接続部９５は、図１５（ａ）にも示すように上面９２より一段低く形成されている。上記天面８５には、図１４に示すように上から見た場合、円部が少し小さい「前方後円墳」のような形状をした温水貯蔵タンク５０を支持する支柱６Ｙ（図１５、１６）のベース部６Ｚが図示しないネジ等により固着されている。このベース部に溶接された支柱６Ｙが立設され、支柱６Ｙの上端部をタンク５０の下面に当接固着される。前記支柱６Ｙにはパネル回転軸３Ｙを含む軸回転ジョイント部ＪＴがその側面に取り付けられ、このジョイント部ＪＴの回転軸３Ｙを中心にしてパネル１１０がレール部９０の転動面９２上を車輪１６を介して移動する。前実施例と同機能を有するノンフレキシブルパイプ部ＰＳが図３と同様にパネル上端面にその一方を取りつけられ、他方をフレキシブルパイプ部ＦＰに接続され、パイプＦＰは、常時湾曲部ＦＰ１を経てタンク５０に接続される。パイプ部ＰＳ及びＦＰの下に前記ジョイント部ＪＴが配設される。
【手続補正１３】
【補正対象書類名】明細書
【補正対象項目名】００９６
【補正方法】変更
【補正の内容】
【００９６】
タンク５０は、その一方５２の下面が支柱６Ｙで支えられているが、その他方５１は前記屋上出入口部８０８としての建築物８０の上方部中央部凹部８０７に嵌合された形で支持される。前記建築物８０は、例えば６面体からなる直方体で形成され、南面８０１、北面８０２、東面８０３、西面８０４、上面８０５及び下面からなる。南面８０１の中央部に南方向に突設する形で前記軸塔基礎部８が設けられている。軸塔基礎部８の北側と建築物８０の中央部とは内部で連通する接続部を形成し、屋上へ上がる階段が軸塔基礎部８の内部に例えば図１９のＳＴＥＰのように設けられ、この階段を上りきった踊り場９７が建築物８０の内部に形成されている。北面８０２には屋上に出入するための扉（出入口部）８０８が設けられている。建築物８０の内部には、必要に応じて補助タンクＳＴ（例えば図７参照）が設けられる。
【手続補正１４】
【補正対象書類名】明細書
【補正対象項目名】００９９
【補正方法】変更
【補正の内容】
【００９９】
この構造によって、パネル１１０の使用時において他方羽部３ｂ１を水平に維持しながら回転させることができる。パネルを斜めに支持しながら羽部３ｂ１を水平維持させるために補強片３ｂ６が水平片３ｂ２と垂直壁３ｂ５とに連設して設けられている（図１５ａ参照）。つまり、軸３Ｙが回転する構造である。これを軸３Ｙが回転せず３ｂ２、３ｂ４が回転する構造にしてもよい。前者構造とした場合、軸回転部は軸孔３ｈに嵌合するリング状をしたベアリング軸受け部を介して丸棒軸が嵌合する構造とする方が望ましい。また、上記縦軸保持部３ｄの上部は、一方片３ｄ２と他方片３ｄ３とに２つに分かれて設けられ、その間にＵ字溝３ｄ５を設けている。このＵ字溝３ｄ５に対応して支柱６Ｙの当該部分にリブ６Ｙ２側に長孔（貫通孔）６Ｙ８を設けている。このＵ字溝３ｄ５及び長孔６Ｙ８は、タンク５０とパネル１１０とを接続する連通パイプＦＰ、ＦＰ１が連通するために設けられている。パネル１１０の上端面から突設された定型パイプＰＳ（図４と機能的に同一）は、フレキシブルパイプＦＰとの接続端ＴＴ１を通常使用時（図１５の実線）において水平配置（流水方向が水平）とし、フレキシブルパイプＦＰを水平接続する。さらに上記Ｕ字溝３ｄ５、長孔６Ｙ８の下端にフレキシブルパイプＦＰを当接した状態で水平配置となし、後続部ＦＰ１をＵ字型に折曲してタンク５０へと接続されるものとする。
【手続補正１５】
【補正対象書類名】明細書
【補正対象項目名】０１００
【補正方法】変更
【補正の内容】
【０１００】
さらに、前記ジョイント部ＪＴに突起３ｄ９を設けている。該突起３ｄ９は縦軸保持部材３ｄ１におけるＵ字溝３ｄ５の下方かつ水平片３ｄ６の上方に支柱６Ｙ方向（北側方向）へ向かって突設されている。図１５の実線で示すように、支柱６Ｙと部材３ｄ１とが当接した状態で、前記突起３ｄ９がリブ６Ｙ２に開口させた貫通孔ｈ１を貫通して設けられ、該貫通孔ｈ１は前記突起３ｄ９よりわずかに大きい大きさで設けられている。前記突起３ｄ９が孔ｈ１を貫通した状態でロックされる鈎用駆動片Ｋ１を、図１７に示すように錠前スタイルで支柱６Ｙに対し移動自在に設けている。駆動片Ｋ１はリブ６Ｙ２、６Ｙ３上を水平動し得るようにホルダＫに保持され、該ホルダＫはリブ６Ｙ３にその座部ＫＢをネジＳＣ６、ＳＣ６、、で螺着することで固定されている。前記ホルダＫは馬鞍型に構成され、中心部に駆動片Ｋ１が挿通される。駆動片Ｋ１の一方端は、リブ６Ｙ１に開口した貫通孔ｈ５を貫通してこの貫通孔ｈ５を介してさらに前記突起３ｄ９の孔ｈ２に貫通するように構成される。駆動片Ｋ１からホルダＫの馬鞍部上面へ突設させた連動突起ａｃが設けられている。前記突起ａｃに嵌合する長孔ｈ３を有したレバーＬＢが、リブ６Ｙ３の取付座６Ｙ４を介して回動自在に取りつけられる。レバーＬＢは、突起ａｃを跨いだ自由端側中間部がレバーＬＢ移動をガイドするコ字状のガイド部ＧＤによって移動時及び停止時にリブ６Ｙ３から離れないよう保持されている。さらにガイド部ＧＤより自由端側にリブ６Ｙ１方向へレバーＬＢを付勢する引っ張りバネＳ６がレバーＬＢとリブ６Ｙ１とにその両端部を係止させて設けられている。バネＳ６とガイド部ＧＤとの間に、リブ６Ｙ１とリブ６Ｙ３とに当接して固着させたストッパ部ＳＴ６が設けられ、前記バネＳ６でレバーＬＢがストッパ部ＳＴ６に当接するよう付勢される。前記レバーＬＢの全長が前記取付座６Ｙ４から突起ａｃまでの長さに比べ、数倍に構成されているので、駆動片Ｋ１の水平動には、例え大きな力を必要とする場合でも容易く駆動片Ｋ１を水平動させることができる。
【手続補正１６】
【補正対象書類名】明細書
【補正対象項目名】０１２０
【補正方法】変更
【補正の内容】
【０１２０】
軸塔は軸塔基礎部８と軸塔本体部（支柱６Ｙ）とからなり、軸塔基礎部８は図１４と同じである。図１９では半球体ドーム（軸塔基礎部８）の内部を詳細に示している。ドーム８は例えば家屋やビルディングの屋上に立設され、このドーム８に隣接して屋上出入口部としての建築物８０が設けられている。建築物８０には北側に出入口用扉８０８が設けられている。ドーム８内にはドームの中央が最上ステップとなる階段ＳＴＥＰが設けられている。屋上を有した建物内には図示のような垂直支柱Ｙ５、Ｙ６、Ｙ７と水平支柱及び又は屋上天上部Ｆ１、Ｆ２と踊り場９７が設けられている。
【手続補正１７】
【補正対象書類名】明細書
【補正対象項目名】０１２３
【補正方法】変更
【補正の内容】
【０１２３】
この安全装置ＳＡＦは、駆動片Ｋ１にてパネルの準安定状態（パネル回転可能状態）と安定状態（ロック状態）とを切りかえる機能及び機構を有している。先端部Ｋ１１と後端部Ｋ１２とからなる前記駆動片Ｋ１は、図１５、図１９の保持部３ｄ、３ｄ’から北側に突設した突起３ｄ９、３ｄｐに設けられた透孔に挿抜自在に駆動される駆動片であって、東西方向に貫通させた透孔ｈ２、（図１７参照、図１９、図２０では不図示）に挿抜自在に設けられている。該駆動片Ｋ１はパネルの回転可能状態において、前記透孔ｈ２とリブ６Ｙ２に開口した貫通孔ｈ１とに常時に貫通させていることにて、パネル１０を準安定状態に可能ならしめているのである。この駆動片Ｋ１を前記孔ｈ１、ｈ２に対し水平方向に挿抜自在に保持する馬鞍型ホルダＫがリブ６Ｙ３にその座部ＫＢを介して固定されるのは図１７と同様である。